(57)【特許請求の範囲】
【請求項１】
交換レンズの透過光を反射させるミラーと、
前記ミラーで反射された被写体像が結像する焦点板と、
前記焦点板の近傍に設けられて、情報が表示される表示部材と、
前記焦点板に結像された前記被写体像および前記表示部材に表示された情報を観察するための光学ファインダとを備え、
前記光学ファインダは、前記焦点板に結像された前記被写体像を観察する第１の位置と、前記表示部材に表示された情報を観察する第２の位置との間で移動可能な接眼部と、前記焦点板に結像された前記被写体像についての被写体光束および前記表示部材に表示される情報についての情報光束を反射させる第１の反射部材と、前記第１の反射部材で反射された前記被写体光束および前記情報光束を反射させて前記接眼部に導く第２の反射部材とを有し、
前記被写体光束が前記第１の反射部材に入射する入射角度と、前記情報光束が前記第１の反射部材に入射する入射角度とは異なり、
前記被写体光束は、前記第１および第２の反射部材で反射されることで前記第１の位置にある前記接眼部に導かれ、
前記情報光束は、前記第１および第２の反射部材で反射されることで前記第２の位置にある前記接眼部に導かれることを特徴とする一眼レフカメラ。
【請求項２】
請求項１に記載の一眼レフカメラにおいて、
被写体像を撮像する撮像素子をさらに備え、
前記表示部材は、前記撮像素子で撮像された被写体像を表示することを特徴とする一眼レフカメラ。
【請求項３】
請求項１または請求項２に記載の一眼レフカメラにおいて、
前記ミラーは、前記一眼レフカメラの前方から後方に向かう交換レンズの透過光を前記一眼レフカメラの上方に向けて反射させ、
前記焦点板は、前記ミラーの上方に配設され、
前記第１の反射部材は、前記焦点板の上方に配設され、
前記第２の反射部材は、前記焦点板と前記第１の反射部材との間で前記焦点板および前記第１の反射部材の前方に設けられ
前記接眼部は、前記焦点板および前記第１の反射部材の後方に配設され、
前記表示部材は、前記焦点板の近傍であって、前記焦点板の前方か後方に配設されていることを特徴とする一眼レフカメラ。
【請求項４】
請求項１〜３のいずれか一項に記載の一眼レフカメラにおいて、
前記光学ファインダは、前記接眼部を第１の位置に移動した際に、前記焦点板に結像された前記被写体像と、前記表示部材に表示された撮像に関する情報とを同時に観察可能とすることを特徴とする一眼レフカメラ。
【請求項５】
請求項１〜４のいずれか一項に記載の一眼レフカメラにおいて、
前記接眼部が前記第２の位置にあるか否かを検出する検出手段と、
前記検出手段の検出結果に基づいて前記表示部材における情報の表示を制御する制御手段とを備えることを特徴とする一眼レフカメラ。
【請求項６】
請求項１〜５のいずれか一項に記載に記載の一眼レフカメラにおいて、
前記表示部材に表示される情報を拡大する拡大光学系をさらに備えることを特徴とする一眼レフカメラ。
【発明の詳細な説明】
【技術分野】
【０００１】
本発明は、光学ファインダを有するカメラに関する。
【背景技術】
【０００２】
動画の撮影が可能なデジタル一眼レフカメラでは、動画の撮影時にはメインミラーをミラーアップした状態で保持する必要があるため、メインミラーで反射された被写体像を光学ファインダで観察することはできない。そこで、撮像素子で撮像された画像を表示する表示部を光学ファインダの内部に移動可能に設け、動画撮影時にも被写体像を光学ファインダーで視認可能としたデジタル一眼レフカメラが知られている。このカメラでは、表示部の位置を移動させることで、光学ファインダで観察する像を、焦点板に結像された被写体像とするか、撮像素子で撮像されて表示部に表示された画像とするかを選択できる（特許文献１参照）。
【０００３】
【特許文献１】特開２００５−３１１７６４号公報
【発明の開示】
【発明が解決しようとする課題】
【０００４】
しかし上述の特許文献１のカメラでは、表示部を移動させるために駆動部材を設ける必要があり構造が複雑となる。また、精度が必要なペンタプリズムの一部が可動なため精度よく作成することが難しく、さらにコストがかかる。
本発明は、ペンタプリズム周辺部の構造を複雑化せずに、表示部に表示された画像と被写体光学像とを切り換えて確認可能な光学ファインダを有するカメラを提供することを目的とする。
【課題を解決するための手段】
【０００５】
（１）  請求項１の発明による一眼レフカメラは、交換レンズの透過光を反射させるミラーと、ミラーで反射された被写体像が結像する焦点板と、焦点板の近傍に設けられて、情報が表示される表示部材と、焦点板に結像された被写体像および表示部材に表示された情報を観察するための光学ファインダとを備え、光学ファインダは、焦点板に結像された被写体像を観察する第１の位置と、表示部材に表示された情報を観察する第２の位置との間で移動可能な接眼部と、焦点板に結像された被写体像についての被写体光束および表示部材に表示される情報についての情報光束を反射させる第１の反射部材と、第１の反射部材で反射された被写体光束および情報光束を反射させて接眼部に導く第２の反射部材とを有し、被写体光束が第１の反射部材に入射する入射角度と、情報光束が第１の反射部材に入射する入射角度とは異なり、被写体光束は、第１および第２の反射部材で反射されることで第１の位置にある接眼部に導かれ、情報光束は、第１および第２の反射部材で反射されることで第２の位置にある接眼部に導かれることを特徴とする。
（２）  請求項２の発明は、請求項１に記載の一眼レフカメラにおいて、被写体像を撮像する撮像素子をさらに備え、表示部材は、撮像素子で撮像された被写体像を表示することを特徴とする。
（３）  請求項３の発明は、請求項１または請求項２に記載の一眼レフカメラにおいて、ミラーは、一眼レフカメラの前方から後方に向かう交換レンズの透過光を一眼レフカメラの上方に向けて反射させ、焦点板は、ミラーの上方に配設され、第１の反射部材は、焦点板の上方に配設され、第２の反射部材は、焦点板と第１の反射部材との間で焦点板および第１の反射部材の前方に設けられ接眼部は、焦点板および第１の反射部材の後方に配設され、表示部材は、焦点板の近傍であって、焦点板の前方か後方に配設されていることを特徴とする。
（４）  請求項４の発明は、請求項１〜３のいずれか一項に記載の一眼レフカメラにおいて、光学ファインダは、接眼部を第１の位置に移動した際に、焦点板に結像された被写体像と、表示部材に表示された撮像に関する情報とを同時に観察可能とすることを特徴とする。
（５）  請求項５の発明は、請求項１〜４のいずれか一項に記載の一眼レフカメラにおいて、接眼部が第２の位置にあるか否かを検出する検出手段と、検出手段の検出結果に基づいて表示部材における情報の表示を制御する制御手段とを備えることを特徴とする。
（６）  請求項６の発明は、請求項１〜５のいずれか一項に記載に記載の一眼レフカメラにおいて、表示部材に表示される情報を拡大する拡大光学系をさらに備えることを特徴とする。
【発明の効果】
【０００６】
本発明によれば、ペンタプリズム周辺部の構造を複雑化せずに、表示部に表示された画像と被写体光学像とを切り換えて確認可能な光学ファインダを有するカメラを提供できる。
【発明を実施するための最良の形態】
【０００７】
図１〜３を参照して、本発明によるカメラの一実施の形態を説明する。なお、本実施の形態では、カメラの前後および上下方向を各図に記載したように規定する。図１および図３は、本実施の形態のカメラを正面右から見たときの断面図であり、図２は、カメラ正面から見たときの右側面図である。なお、図１は、静止画の撮影開始前（レリーズ動作開始前）の状態を示し、図３は、後述するように動画撮影時の状態を示している。カメラ１は、いわゆるデジタル一眼レフカメラであり、不図示の電源スイッチと、レリーズボタンと、撮影モードなどを選択するためのモード設定ダイヤル３３とが設けられている（図２）。カメラ１はボディ１０と、ボディ１０に取り付けられた前カバー２１と、上カバー２２と、後カバー２３とを有する。
【０００８】
ボディ１０の前部には、不図示の交換レンズが着脱可能に取り付けられるレンズマウント１６が設けられている。ボディ１０の内部には、被写体光束を後述する光学ファインダ１００へと導くメインミラー１１が設けられている。メインミラー１１の後方（背面側）にはサブミラー１２が設けられ、メインミラー１１の下方には焦点検出を行うＡＦセンサ１８が設けられている。サブミラー１２は、ＡＦセンサ１８へ被写体光束を導く。メインミラー１１およびサブミラー１２は回動可能に設けられており、レリーズ動作時には撮影光路から退避する。
【０００９】
メインミラー１１の背面側撮影光路上には、シャッタ１３、光学フィルタ１４および撮像素子１５が前方から順に設けられている。シャッタ１３は、撮像素子１５を遮光する閉状態と、撮像素子１５に被写体像を導く開状態との間で開閉動作を行う一組または二組のの遮光羽根群を有する機構である。光学フィルタ１４は、赤外光をカットする赤外カットフィルタとしての機能と、モアレを防止するローパスフィルタとしての機能を兼ね備えたフィルタである。撮像素子１５は、たとえばＣＣＤなどのように、被写体光による像を撮像して撮像信号を出力する素子である。
【００１０】
撮像素子１５の後方には、背面液晶１７が設けられている。背面液晶１７は、撮像素子１５で撮像された被写体像や、カメラ１の撮影条件や各部の設定状態など様々な情報を表示する表示装置であり、後カバー２３の窓２３ａを介して外部から視認可能である。
【００１１】
ボディ１０の上部には光学ファインダ１００が取り付けられている。光学ファインダ１００には、入射光軸ＡＸ１に沿って、カメラ１の前方の被写体側から順に、メインミラー１１からの像が結像する焦点板１０１と、液晶表示装置１０２と、ファインダ視野の大きさを決定する不図示の視野枠と、ペンタプリズム１０３と、接眼ユニット１１０とが設けられている。また、光学ファインダ１００には、ビューファインダ用液晶１２１と、プリズム１２２と、拡大光学系１２３とが設けられている。
【００１２】
焦点板１０１は、上述のようにメインミラー１１からの像が結像する半透明状の板部材であり、ペンタプリズム１０３の下方に設けられている。液晶表示装置１０２は透過型の表示装置であり、焦点板１０１で結像された被写体像を透過させるとともに、測距ポイント、測光範囲などを示す表示や、十字形状の格子線を半透明状態で表示させる。液晶表示装置１０２は、焦点板１０１とペンタプリズム１０３との間に設けられている。液晶表示装置１０２は電気的に駆動される表示装置であり、不図示のフレキシブルプリント基板を介して、後述する制御装置１３２に接続されている。
【００１３】
ペンタプリズム１０３は、焦点板１０１で結像された被写体像を正立正像に復元するためのものであり、液晶表示装置１０２の上方に設けられている。プリズムボックス１０４は、ファインダ光学系を構成する各要素１０１〜１０３と、ビューファインダ用液晶１２１と、プリズム１２２と、拡大光学系１２３とを保持する保持部材であり、ボディ１０の上部に搭載されて固定される。光学ファインダ１００は、プリズムボックス１０４がボディ１０の上部に取り付けられると、焦点板１０１が撮像素子１５と光学的に共役な位置に配設されるように構成されている。
【００１４】
接眼ユニット１１０は、ペンタプリズム１０３で正立正像に復元された被写体像を撮影者の目に導くための接眼部の光学系であり、視度調節用の可動レンズや、固定レンズ、接眼ゴム１１０ａなどが設けられている。接眼ユニット１１０は、図２に示すように、プリズムボックス１０４とは独立してボディ１０に取り付けられており、カメラ１の左右方向（図２における紙面垂直方向）に延在する軸１１１を中心に上下方向に揺動可能である。
【００１５】
ビューファインダ用液晶１２１は、撮像素子１５で撮像された被写体像を表示する表示装置であり、たとえば電気的に駆動される液晶表示装置などが用いられる。ビューファインダ用液晶１２１は、ペンタプリズム１０３の下方の位置で、焦点板１０１や液晶表示装置１０２に対してカメラ１の前後方向の後方に配設され、表示面１２１ａがカメラ１の前方を向くようにプリズムボックス１０４に固定されている。すなわち、ビューファインダ用液晶１２１は、焦点板１０１の近傍であって、焦点板１０１に対する被写体光の入射光軸ＡＸ１に対して略垂直方向にオフセットされた位置に配設されている。なお、ビューファインダ用液晶１２１の表示面１２１ａにおける表示画像の大きさの縦横比は、一般的な画像の横縦比と同じ４：３であり、撮像素子１５で撮像される画像の横縦比と等しい。
【００１６】
ビューファインダ用液晶１２１の表示面１２１ａに表示された画像はプリズム１２２で上方に屈折され、拡大光学系１２３で拡大されてペンタプリズム１０３で再び屈折される。このように、ペンタプリズム１０３で屈折された、ビューファインダ用液晶１２１の表示面１２１ａに表示された画像は、接眼ユニット１１０で観察可能である。接眼ユニット１１０による表示面１２１ａに表示された画像の観察については後述する。
【００１７】
上カバー２２の後部であって接眼ユニット１１０の上方には、接眼ユニット１１０の回動位置を検出するスイッチ１３１が設けられている。スイッチ１３１は、押圧部１３１ａが上カバー２２の下面から下方に向かって突出するように取り付けられ、後述する制御装置１３２に接続されている。図３に示すように、接眼ユニット１１０が軸１１１を中心として上方に向かって回動されると、接眼ユニット１１０の上面が押圧部１３１ａと当接してこれを押圧する。スイッチ１３１は、押圧部１３１ａが押圧されるとオン信号を制御装置１３２に出力し、押圧部１３１ａが押圧されなくなるとオフ信号を制御装置１３２に出力する。
【００１８】
ペンタプリズム１０３の上部には、ペンタプリズム１０３の頂部を跨ぐように不図示のフレキシブルプリント基板が配設されている。このフレキシブルプリント基板には、制御装置１３２が搭載されている。制御装置１３２は、レリーズボタンの押圧状態や、モード設定ダイヤル３３の設定状態、スイッチ１３１のオンオフ状態などに応じて、カメラ１の各部を制御するとともに、液晶表示装置１０２やビューファインダ用液晶１２１を制御する。
【００１９】
このように構成されるカメラ１では、不図示の電源スイッチがオンされて、不図示のレリーズボタンが押圧されると、スイッチ１３１のオンオフ状態と、モード設定ダイヤル３３の設定とに応じた撮影モードで、被写体像が交換レンズ（不図示）を介して撮像素子１５で撮像される。撮像素子１５から出力された撮像信号は、不図示の画像処理回路で公知の画像処理が施され、画像データとして不図示の記憶手段に記録される。
【００２０】
−−−静止画像の撮影−−−
軸１１１を中心に接眼ユニット１１０が下方位置（以下、静止画撮影モード設定位置と呼ぶ）に回動されている場合、図１，２に示すように、接眼ユニット１１０の上面と押圧部１３１ａとが離間して、スイッチ１３１がオフされる。制御装置１３２は、スイッチ１３１からのオフ信号を受信すると、撮影モードを静止画像撮像モードに切り換えて、さらに、モード設定ダイヤル３３の設定に応じた撮影モードで被写体の静止画像を撮像するように、カメラ１の各部を制御する。
【００２１】
接眼ユニット１１０が静止画撮影モード設定位置に設定された場合、被写体光の入射光軸ＡＸ１と、接眼ユニット１１０の光軸ＡＸ２とが一致し、焦点板１０１に結像された被写体像が光学ファインダ１００で視認可能となる。また、液晶表示装置１０２によって表示される測距ポイント、測光範囲などを示す表示や、十字形状の格子線も、被写体像とともに光学ファインダ１００で視認可能となる。
【００２２】
なお、接眼ユニット１１０が静止画撮影モード設定位置に設定された場合、ビューファインダ用液晶１２１の表示面１２１ａは、光学ファインダ１００からは視認できない。また、この場合には、制御装置１３２は、ビューファインダ用液晶１２１の表示をオフするようにビューファインダ用液晶１２１を制御するので、表示面１２１ａには何も表示されない。
【００２３】
不図示のレリーズボタンが押圧されると、たとえば、シャッタ速度優先モードや絞り優先モードなど、モード設定ダイヤル３３の設定に応じた撮影モードで、被写体像の静止画像が交換レンズ（不図示）を介して撮像素子１５で撮像される。すなわち、接眼ユニット１１０が静止画撮影モード設定位置に設定されると、静止画像を撮像する従来のデジタル一眼レフカメラと同様に、光学ファインダ１００で被写体像を確認して撮像できる。
【００２４】
−−−動画像の撮影−−−
軸１１１を中心に接眼ユニット１１０が上方位置（以下、動画撮影モード設定位置と呼ぶ）に回動されている場合、図３に示すように、接眼ユニット１１０の上面が押圧部１３１ａを押圧して、スイッチ１３１がオンされる。制御装置１３２は、スイッチ１３１からのオン信号を受信すると、撮影モードを動画撮像モードに切り換えて、被写体の動画像を撮像するように、カメラ１の各部を制御する。動画撮像モードでは、図３に示すように、メインミラー１１およびサブミラー１２は撮影光路から退避する
【００２５】
また、接眼ユニット１１０が動画撮影モード設定位置に設定された場合、接眼ユニット１１０の光軸ＡＸ２も移動するので、光学ファインダ１００でビューファインダ用液晶１２１の表示面１２１ａが視認可能となる。また、この場合には、制御装置１３２は、撮像素子１５で捉えた被写体像を表示面１２１ａに表示するようにビューファインダ用液晶１２１を制御する。その結果、表示面１２１ａには交換レンズを介して撮像素子１５で捉えられた被写体像が光学ファインダ１００で視認可能となる。
【００２６】
ビューファインダ用液晶１２１は、焦点板１０１や液晶表示装置１０２の近傍の限られたスペースに配設しなければならないことから、その大きさが制約を受ける。しかし、本実施の形態のカメラ１では、表示面１２１ａに表示された画像を拡大光学系１２３で拡大しているので、光学ファインダ１００を覗いたユーザが、焦点板１０１に結像された被写体像と同等の大きさの被写体像を観察できる。なお、接眼ユニット１１０が動画撮影モード設定位置に設定された場合、光軸ＡＸ２が移動して接眼ユニット１１０の光路が変化するので、焦点板１０１および液晶表示装置１０２は、光学ファインダ１００からは視認できない。また、この場合には、制御装置１３２は、液晶表示装置１０２の表示をオフするように液晶表示装置１０２を制御する。
【００２７】
不図示のレリーズボタンが押圧されると、被写体像の動画像の撮影（記録）が開始される。動画像の撮影中も撮像素子１５で捉えられた被写体像がビューファインダ用液晶１２１の表示面１２１ａに表示されるので、ユーザは、光学ファインダ１００を覗くことによって、撮影中の被写体像を確認できる。あらかじめ設定された時間が経過するか、再びレリーズボタンが押圧されると、動画像の撮影が終了する。すなわち、接眼ユニット１１０が動画撮影モード設定位置に設定されると、ユーザが光学ファインダ１００で被写体像を確認しながら被写体の動画像を撮影できる。
【００２８】
このように、カメラ１では、光学ファインダ１００の接眼ユニット１１０の回動位置を変更することで、動画の撮影と静止画の撮影とを切り換えることができる。また、接眼ユニット１１０の回動位置を変更することで接眼ユニット１１０の光路が切り換えられて、観察可能な対象物が、焦点板１０１で結像された被写体像、または、ビューファインダ用液晶１２１の表示面１２１ａに表示された画像に切り換えられる。したがって、ユーザが光学ファインダ１００から目を離すことなく、動画撮像モードと静止画撮影モードとを瞬時に切り換えることができる。
【００２９】
上述した本実施の形態のカメラ１では、次の作用効果を奏する。
（１）  焦点板１０１で結像された被写体像を観察可能な位置と、ビューファインダ用液晶１２１の表示面１２１ａに表示された画像を観察可能な位置との間で接眼ユニット１１０が回動可能となるように構成した。これにより、接眼ユニット１１０を回動させるだけで、観察する対象物を切り換えることができるので、光学ファインダ１００の構造を複雑化することなく、メインミラー１１で反射された被写体像と、ビューファインダ用液晶１２１の表示面１２１ａに表示された画像の双方を光学ファインダ１００で観察することができる。
【００３０】
（２）  撮像素子１５で撮像された被写体像をビューファインダ用液晶１２１で表示するように構成した。これにより、動画像の撮影時に撮像素子１５で捉えられた被写体像を光学ファインダ１００で観察可能となるので、従来の静止画像を撮像する一眼レフカメラと同じように、ユーザが接眼ゴム１１０ａに目の周囲を押し当てたまま動画像を撮影できる。カメラ、特に一眼レフカメラでは、交換レンズがカメラボディの前方に取り付けられていて重いので、手で保持したカメラ１をユーザの身体に近づけることで、カメラ１を安定して保持することが望まれる。たとえば、撮像素子１５で捉えられた被写体像を背面液晶１７に表示している場合には、カメラ１をユーザの身体に近づけると、背面液晶１７に表示された被写体像の観察が困難となる。また、カメラ１の一部を手以外の身体の一部に当接させてカメラ１を安定的に保持することが好ましい。本実施の形態のカメラ１では、上述のように、ユーザが接眼ゴム１１０ａに目の周囲を押し当てた状態で、撮像素子１５で撮像された被写体像を光学ファインダ１００で観察しながら動画像を撮影できる。したがって、本実施の形態のカメラ１は、被写体像の観察の点およびカメラ１の保持の点で優れている。
【００３１】
（３）  焦点板１０１の近傍であって、焦点板１０１に対する被写体光の入射光軸ＡＸ１に対して略垂直方向にオフセットされた位置にビューファインダ用液晶１２１を設けるように構成した。これにより、接眼ユニット１１０の光軸ＡＸ２の移動量、すなわち接眼ユニット１１０の回動量を少なくできるので、接眼ユニット１１０周囲の構造をコンパクト化、単純化できる。すなわち、カメラ１の構造変更が最小限で済み、カメラ１のコスト増を最小限に抑制できるとともに、カメラを小型化できる。
【００３２】
（４）  接眼ユニット１１０の回動位置を検出するスイッチ１３１を設けたので、動画撮像モードと静止画撮影モードとの切り換えが容易となり、操作性が向上する。
（５）  スイッチ１３１のオンオフ状態を検出して制御装置１３２がビューファインダ用液晶１２１の表示を制御するように構成した。これにより、必要なときのみビューファインダ用液晶１２１で被写体像が表示されるので、カメラ１の消費電力を節約でき、カメラ１の可動時間を延長できる。
（６）  ビューファインダ用液晶１２１の表示面１２１ａに表示された画像を拡大光学系１２３で拡大するように構成した。これにより、カメラ１を大型化することなく、ビューファインダ用液晶１２１を配設できる。また、光学ファインダ１００を覗いたユーザが、大きな画像を観察することができるので、動画撮影時に被写体像を容易に観察できる。
【００３３】
−−−変形例−−−
（１）  上述の説明では、接眼ユニット１１０が静止画撮影モード設定位置に設定された場合、ビューファインダ用液晶１２１の表示面１２１ａが、光学ファインダ１００からは視認できないように構成されているが、本発明はこれに限定されない。たとえば、接眼ユニット１１０が静止画撮影モード設定位置に設定された場合であっても、ビューファインダ用液晶１２１の表示面１２１ａの一部分（以下、常時視認可能領域と呼ぶ）が、光学ファインダ１００で視認できるように構成してもよい。
【００３４】
そして、接眼ユニット１１０が静止画撮影モード設定位置に設定された場合、常時視認可能領域に、シャッタスピードや絞り値、選択されている撮影モードなど、撮像に関する情報（撮像情報）を表示させてもよい。このように構成することで、静止画像の撮影時に、焦点板１０１で結像された被写体像と、常時視認可能領域に表示された撮像情報の双方をユーザが光学ファインダ１００で視認可能となり、利便性が向上する。
【００３５】
さらに、上述した変形例に加えて、カメラ１を次のように構成してもよい。静止画撮影モードと動画撮影モードとの切り替えをモード設定ダイヤル３３で行うこととする。なお、以下の説明では、上述した静止画撮影モード設定位置に相当する、接眼ユニット１１０を下方に回動させた位置を下方位置と呼び、動画撮影モード設定位置に相当する、接眼ユニット１１０を上方に回動させた位置を上方位置と呼ぶ。
【００３６】
モード設定ダイヤル３３で静止画撮影モードが選択され、接眼ユニット１１０が下方位置に回動されている場合、上述した変形例と同様に、焦点板１０１で結像された被写体像と、常時視認可能領域に表示された撮像情報の双方をユーザが光学ファインダ１００で視認可能となる。ここで、接眼ユニット１１０が上方位置に回動された場合には、ビューファインダ用液晶１２１の表示面１２１ａの全面が光学ファインダ１００で視認可能となるため、表示面１２１ａの全面に、さらに多くの撮影情報を表示するようにしてもよい。
【００３７】
そして、モード設定ダイヤル３３で動画撮影モードが選択され、かつ、接眼ユニット１１０が上方位置に回動されている場合に、上述した実施の形態と同様に動画の撮影が可能となるようにしてもよい。
【００３８】
（２）  上述の説明では、焦点板１０１や液晶表示装置１０２に対してカメラ１の前後方向の後方にビューファインダ用液晶１２１を配設しているが、本発明はこれに限定されず、焦点板１０１や液晶表示装置１０２に対してカメラ１の前後方向の前方にビューファインダ用液晶１２１を配設してもよい。
【００３９】
（３）  上述の説明では、表示面１２１ａにおける表示画像の大きさの横縦比が、一般的な画像の横縦比と同じ４：３とされて、撮像素子１５で撮像される画像の横縦比と等しくなるように構成されているが、本発明はこれに限定されない。ビューファインダ用液晶１２１が配設される焦点板１０１や液晶表示装置１０２の後方の空間は、前後および上下方向への余裕は少ないが左右方向への余裕はある。そこで、縦横の画素数の比は上述したビューファインダ用液晶１２１と同じであるが、各画素の形状が上述したビューファインダ用液晶１２１よりも横長とされ、表示面全体もビューファインダ用液晶１２１よりも横長となった表示装置をビューファインダ用液晶１２１として用いてもよい。なお、このような表示装置を用いた場合、表示装置に表示される被写体像が実像に比べて横長となってしまうため、拡大光学系１２３における縦方向の拡大率を横方向の拡大率よりも大きくする必要がある。
【００４０】
（４）  上述の説明では、ビューファインダ用液晶１２１の表示面１２１ａに表示された画像を拡大光学系１２３で拡大するように構成しているが、本発明はこれに限定されない。たとえば、図４に示すように、拡大光学系１２３を省略することもできる。この場合には、接眼ユニット１１０を構成するレンズのいずれかを光軸ＡＸ２に沿って移動することによって、表示面１２１ａに表示された画像を拡大するように構成することが望ましい。なお、図４は、動画撮影時の状態を示している。
【００４１】
このように、接眼ユニット１１０で表示面１２１ａに表示された画像を拡大して観察できるように構成した場合、図５，６に示すように、表示面１２１ａが略上方を向くようにビューファインダ用液晶１２１を配設してもよい。なお、図５は、静止画の撮影開始前（レリーズ動作開始前）の状態を示し、図６は、動画撮影時の状態を示している。
【００４２】
（５）  上述の説明では、光学ファインダ１００の構成要素としてペンタプリズム１０３を用いているが、いわゆるミラーペンタプリズムを用いてもよい。
（６）  上述した各実施の形態および変形例は、それぞれ組み合わせてもよい。
【００４３】
なお、本発明は、上述した実施の形態のものに何ら限定されず、交換レンズの透過光を反射させるミラーと、ミラーで反射された被写体像が結像する焦点板と、焦点板の近傍に設けられて、情報が表示される表示部材と、焦点板に結像された被写体像および表示部材に表示された情報を観察するための光学ファインダとを備え、光学ファインダは、焦点板に結像された被写体像を観察する第１の位置と、表示部材に表示された情報を観察する第２の位置との間で移動可能な接眼部と、焦点板に結像された被写体像についての被写体光束および表示部材に表示される情報についての情報光束を反射させる第１の反射部材と、第１の反射部材で反射された被写体光束および情報光束を反射させて接眼部に導く第２の反射部材とを有し、被写体光束が第１の反射部材に入射する入射角度と、情報光束が第１の反射部材に入射する入射角度とは異なり、被写体光束は、第１および第２の反射部材で反射されることで第１の位置にある接眼部に導かれ、情報光束は、第１および第２の反射部材で反射されることで第２の位置にある接眼部に導かれることを特徴とする各種構造の一眼レフカメラを含むものである。
【図面の簡単な説明】
【００４４】
【図１】静止画の撮影開始前（レリーズ動作開始前）のカメラ１を正面右から見たときの断面図である。
【図２】カメラ１を正面から見たときの右側面図である。
【図３】動画撮影時のカメラ１を正面右から見たときの断面図である。
【図４】変形例を示す図であり、動画撮影時のカメラ１を正面右から見たときの断面図である。
【図５】変形例を示す図であり、静止画の撮影開始前（レリーズ動作開始前）のカメラ１を正面右から見たときの断面図である。
【図６】変形例を示す図であり、動画撮影時のカメラ１を正面右から見たときの断面図である。
【符号の説明】
【００４５】
１  カメラ（デジタル一眼レフカメラ）          １５  撮像素子
１００  光学ファインダ                        １０１  焦点板
１０３  ペンタプリズム                        １１０  接眼ユニット
１２１  ビューファインダ用液晶                １２３  拡大光学系
１３１  スイッチ                              １３２  制御装置
【図１】
0004622924.tif 000002
【図２】
0004622924.tif 000003
【図３】
0004622924.tif 000004
【図４】
0004622924.tif 000005
【図５】
0004622924.tif 000006
【図６】
0004622924.tif 000007